(57)【要約】【課題】内側をチタニウムとして優れた内容物保存効果を発揮させ、かつ、外側をアルミニウム及び漆仕上げとして物性上、製造上、意匠上の利点を得る保存容器及びその製造方法を提供する。【解決手段】アルミニウム製でカップ状かつ外面に漆を塗装した下器Ａ２に、チタニウム製で円盤状の底受けＣ３と、チタニウム製で円筒状の中子Ｃ２とを、中子Ｃ２が下器Ａ２から一部突出するように嵌め込んだ本体と、下器Ａ２から突出した中子Ｃ２の先端を閉じるチタニウム製の中蓋Ｃ１と、中子Ｃ２を覆い下器Ａ２と当接するように閉め合わせるアルミニウム製かつ外面に漆を塗装した上蓋Ａ１と、を備える。【選択図】図１
2005053173.tif 000002
【特許請求の範囲】
【請求項１】
チタニウム製内容器及びアルミニウム製外容器を備え、前記外容器の外面に漆が塗装されたことを特徴とする保存容器。
【請求項２】
アルミニウム製でカップ状かつ外面に漆を塗装した下器に、チタニウム製で円盤状の底受け及びチタニウム製で円筒状の中子を、中子が前記下器から一部突出するように嵌め込んだ本体と、
前記下器から突出した前記中子の先端を閉じるチタニウム製の中蓋と、
前記中子を覆い下器と当接するように閉め合わせるアルミニウム製かつ外面に漆を塗装した上蓋と、
を備えたことを特徴とする保存容器。
【請求項３】
アルミニウムにより、それぞれカップ状で相互に付き合わさる上蓋及び下器を作成し、
チタニウムにより、前記下器の底面に嵌め込むための円盤状の底受けと、前記下器の内側に下器から一部突出するように嵌め込むための円筒状の中子と、前記中子の先端を閉じる中蓋と、を作成し、
アルミニウムによる前記上蓋及び前記下器の少なくとも外面について電解処理のうえ漆を塗装し、
前記下器に前記底受け及び前記中子を嵌め込むことを特徴とする保存容器の製造方法。
【請求項４】
チタニウム製内容器と、ステンレススティール製外容器と、を組合せたことを特徴とする保存容器。
【発明の詳細な説明】
【技術分野】
【０００１】
本発明は、内側をチタニウムとして優れた内容物保存効果を発揮させ、かつ、外側をアルミニウム及び漆仕上げとして物性上、製造上、意匠上の利点を得る保存容器及びその製造方法に関するものである。
【背景技術】
【０００２】
飲食物の保存容器の歴史は、人類の歴史と相前後して始まったと考えられるが、世界各地で古い歴史を誇る代表的な飲物として茶を挙げることができる。日本でも古来から緑茶に代表される各種の茶が飲用され、茶葉の保存容器としては茶筒がよく知られている。近年では、アルミパックなど茶葉の多様な包装形態も提案されているが（例えば、特許文献１参照）、茶の保存と日常的な開け閉めに適する保存容器としてはやはり茶筒が便利であり、その意匠も工夫されてきた。例えば、木製の容器に漆仕上げを施したものも従来から提案され、「木胎漆茶筒」などと呼ばれる。
【特許文献１】特開平１０−３０５８４８号公報
【発明の開示】
【発明が解決しようとする課題】
【０００３】
しかしながら、木材で茶筒に必要な強度を得ると肉厚となって軽量化は難しく、木材特有のもろさ、使う木による品質のばらつき、環境変化等により狂いが生じるなど物性上の問題があった。また、木材は人手に頼る部分の多い加工過程のデリケートさも製造上の負担であった。また、ブリキやステンレスによる茶筒も工夫されているが、経年劣化の問題や、特有の金属臭さが茶葉のようにデリケートな内容物に移り香するといった保存効果の限界も難点となっていた。
【０００４】
本発明は、上記のような従来技術の問題点を解決するもので、その目的は、内側をチタニウムとして優れた内容物保存効果を発揮させ、かつ、外側をアルミニウム及び漆仕上げとして物性上、製造上、意匠上の利点を得る保存容器及びその製造方法を提供することである。本発明の他の目的は、内側をチタニウムとして優れた内容物保存効果を発揮させ、かつ、外側をステンレスとして物性上、製造上の利点を得る保存容器を提供することである。
【課題を解決するための手段】
【０００５】
上記の目的を達成するため、請求項１の保存容器は、チタニウム製内容器及びアルミニウム製外容器を備え、前記外容器の外面に漆が塗装されたことを特徴とする。
【０００６】
請求項２の保存容器は、アルミニウム製でカップ状かつ外面に漆を塗装した下器に、チタニウム製で円盤状の底受け及びチタニウム製で円筒状の中子を、中子が前記下器から一部突出するように嵌め込んだ本体と、前記下器から突出した前記中子の先端を閉じるチタニウム製の中蓋と、前記中子を覆い下器と当接するように閉め合わせるアルミニウム製かつ外面に漆を塗装した上蓋と、を備えたことを特徴とする。
【０００７】
これらの態様では、内側をチタニウムとするので、従来の木胎漆茶筒と比べ、優れた内容物保存効果を発揮する。すなわち、チタニウムは他の金属容器と比べ金属自体が変質せず安全で、金属臭がなく、防臭防湿のほか、旨味、香り、各種有効成分等の劣化を防いで品質を保持する優れた効果を発揮する。
【０００８】
また、外側をアルミニウム及び漆仕上げとするので、従来の肉厚の木胎漆茶筒と比べ、アルミニウムの軽さ、薄さ、木胎より狂いが無く安定性も得られるといった物性上の利点が得られる。また、安さ、アルミニウム自体の加工のしやすさ、漆塗装の乗り易さ、重ね塗りの作業性といった製造上の利点や、高級感溢れる落ち着いた色と輝き等の意匠上の利点が得られる。
【０００９】
請求項３の保存容器の製造方法は、アルミニウムにより、それぞれカップ状で相互に付き合わさる上蓋及び下器を作成し、チタニウムにより、前記下器の底面に嵌め込むための円盤状の底受けと、前記下器の内側に下器から一部突出するように嵌め込むための円筒状の中子と、前記中子の先端を閉じる中蓋と、を作成し、アルミニウムによる前記上蓋及び前記下器の少なくとも外面について電解処理のうえ漆を塗装し、前記下器に前記底受け及び前記中子を嵌め込むことを特徴とする。
【００１０】
この態様では、アルミニウム素地の表面を電解処理し、多孔質の酸化皮膜で覆われた状態とし、その無数の穴に漆を浸透させる。このため、従来の「木胎漆茶筒」と比べ、しっかりと漆を吸着させることができ、また、漆の塗り重ねについても作業性が改善され、製造上の利点のほか、仕上げの安定性、強度に加え美的外観も改善するという品質上の利点も得られる。
【００１１】
請求項４の保存容器は、チタニウム製内容器と、ステンレススティール製外容器と、を組合せたことを特徴とする。
【００１２】
この態様では、内側をチタニウムとするので、従来の木胎漆茶筒と比べ、防臭、防湿の効果のほか、安全性、金属臭がなく、旨味、香り、各種有効成分等の劣化を防いで品質を保持するといった優れた内容物保存効果を発揮する。かつ、外側をステンレスとするので、従来の肉厚の木胎漆茶筒と比べて薄く丈夫で狂いが少なく安定性も得られ、さらに、コスト低減、簡易な仕上げ工程で美しい外観が実現されるといった製造上の利点も得られる。
【発明の効果】
【００１３】
本発明によれば、内側をチタニウムとして優れた内容物保存効果を発揮させ、かつ、外側をアルミニウム及び漆仕上げとして物性上、製造上、意匠上の利点を得る保存容器及びその製造方法を提供することができる。
【発明を実施するための最良の形態】
【００１４】
以下、本発明を実施するための最良の形態（本実施形態と呼ぶ）として、本発明の保存容器である茶筒とその製造方法について図面を参照して説明する。
【００１５】
〔１．茶筒〕
本実施形態における茶筒は、チタニウム（純チタニウム又はチタニウム合金を意味するものとする）製内容器と、アルミニウム（純アルミニウム及びアルミニウム合金を意味するものとする）製外容器とを備え、外容器の外面に漆が塗装されたことを特徴とする二重構造の保存容器である。
【００１６】
具体的には、本実施形態における茶筒は、断面図である図１（開けた状態）及び図２（閉めた状態）に示すように、アルミニウム製でカップ状かつ外面に漆を塗装した下器Ａ２に、チタニウム製で円盤状の底受けＣ３と、チタニウム製で円筒状の中子Ｃ２とを、中子Ｃ２が下器Ａ２から一部突出するように嵌め込んだ本体と、下器Ａ２から突出した中子Ｃ２の先端を閉じるチタニウム製の中蓋Ｃ１（つまみは真鍮）と、中子Ｃ２を覆い下器Ａ２と当接するように閉め合わせるアルミニウム製かつ外面に漆を塗装した上蓋Ａ１と、を備える。
【００１７】
すなわち、チタニウム製の底受けＣ３、中子Ｃ２及び中蓋Ｃ１が茶葉等に直接触れる内容器を構成し、アルミニウム製の上蓋Ａ１及び下器Ａ２が外容器を構成する。なお、漆は、天然漆には限定されず、合成樹脂その他の化学合成品等を用いた漆状塗料を広く意味する。
【００１８】
〔２．製造方法〕
上記のような保存容器の製造方法は次のようなものである。例えば、アルミニウムにより、それぞれカップ状で相互に付き合わさる上蓋Ａ１及び下器Ａ２を作成し、また、チタニウムにより、下器Ａ２の底面に嵌め込むための円盤状の底受けＣ３と、下器Ａ２の内側に下器Ａ２から一部突出するように嵌め込むための円筒状の中子Ｃ２と、中子Ｃ２の先端を閉じる中蓋Ｃ１と、を作成する。
【００１９】
そして、アルミニウムによる前記上蓋Ａ１及び下器Ａ２の少なくとも外面について電解処理（脱脂、エッチング、硝酸浸漬、陽極処理）により、破線で示す電解処理面Ｄとしたうえ、漆を浸透させ及びその上に漆を塗り重ねて漆層Ｕを形成する。この漆の乾燥後、下器Ａ２に底受けＣ３及び中子Ｃ２を嵌め込み、中蓋Ｃ１及び上蓋Ａ１を組み合わせて茶筒を完成させる。底受けＣ３は周縁を立上げる一方、中子Ｃ２は下端を内向きに絞っておくと、両者の接合部が自然に連なるように仕上がる利点がある。
【００２０】
〔３．作用及び効果〕
以上のように、本実施形態における茶筒は、内側をチタニウムとするので、従来の木胎漆茶筒と比べ、優れた内容物保存効果を発揮する。すなわち、チタニウムは他の金属容器と比べ金属自体が変質せず安全で、金属臭がなく、防臭防湿のほか、旨味、香り、各種有効成分等の劣化を防いで品質を保持する優れた効果を発揮する。例えば防湿効果は、チタニウム表面の酸化チタン被膜が、強い親水性を持ち、またマイナスイオンを放出することで実現される。また、旨味の保持として例えば、チタニウムの放出するマイナスイオンが、茶葉の旨味成分であるテアニン（アミノ酸の一種であるタンパク質）の酸化を防止し、テアニンがさらに旨味と香りを増す。
【００２１】
また、本実施形態における茶筒は、外側をアルミニウム及び漆仕上げとするので、従来の肉厚の木胎漆茶筒と比べ、アルミニウムの軽さ、薄さ、木胎より狂いが無く安定性も得られるといった物性上の利点が得られる。また、安さ、アルミニウム自体の加工のしやすさ、漆塗装の乗り易さ、重ね塗りの作業性といった製造上の利点や、高級感溢れる落ち着いた色と輝き等の意匠上の利点が得られる。
【００２２】
また、本実施形態における茶筒及びその製造方法では、アルミニウム素地の表面を電解処理し、多孔質の酸化皮膜で覆われた状態とし、その無数の穴に漆を浸透させる。このため、従来の「木胎漆茶筒」と比べ、しっかりと漆を吸着させることができ、また、漆の塗り重ねについても作業性が改善され、製造上の利点のほか、仕上げの安定性、強度に加え美的外観も改善するという品質上の利点も得られる。
【００２３】
〔４．他の実施形態〕
なお、本発明は上記実施形態に限定されるものではなく、次に例示するような他の実施形態も含むものである。例えば、外面に漆を塗装した外容器に代えてステンレススティール製外容器を、チタニウム製内容器と組み合わせることにより保存容器としてもよい。
【００２４】
この態様では、内側をチタニウムとしたことにより上記実施形態と同様な内容物保存効果を発揮することに加え、外側をステンレスとするので、従来の肉厚の木胎漆茶筒と比べて薄く丈夫で狂いが少なく安定性も得られ、さらに、コスト低減、簡易な仕上げ工程で美しい外観が実現できるといった製造上の利点も得られる。
【００２５】
また、上記のような保存容器の最も典型的な用途は、緑茶、紅茶、中国茶などを内容物とする茶筒であるが、コーヒー等の飲料材料、米、味噌、香辛料、煎餅等の菓子や各種乾物、薬品や漢方薬など、他の何を入れてもよく、内容物に応じたサイズ、構造、意匠等を適宜選択可能である。また、保存容器の形状は円筒形には限定されず、多角柱状や楕円柱状など自由である。
【図面の簡単な説明】
【００２６】
【図１】本発明の実施形態における茶筒（開けた状態）を示す模式図である。
【図２】本発明の実施形態における茶筒（閉めた状態）を示す模式図である。
【符号の説明】
【００２７】
Ａ１    上蓋
Ａ２    下器
Ｃ１    中蓋
Ｃ２    中子
Ｃ３    底受け
Ｄ    電解処理面
Ｕ    漆層
【図１】
2005053173.tif 000003
【図２】
2005053173.tif 000004